(57)【要約】  本発明は、ホルダ（１０）と調節部（４０）とを備え、調節部（４０）が調節部（３０）によりホルダ（１０）に対して調節可能である、引き出しのフロントパネルの配向調節用の調節装置に関する。引き出しのフロントパネル角度を信頼性高く配向するために、本発明によれば、調節部（３０）が、前記調節部（４０）を２つの反対方向に案内して調節できるように、当接部（１０．１６、１０．１７）と協働する２つの調節可能な支持部（３８、３９）を備え、前記支持部（３８、３９）がそれぞれ偏心軌跡上で調節可能であり、該偏心軌跡が反対方向に配されている。【選択図】図１
2017528270.tif 000002
【特許請求の範囲】
【請求項１】
ホルダ（１０）と作動部（４０）とを備え、
前記作動部（４０）が前記ホルダ（１０）に対して調節部（３０）により調節可能である、引き出しのフロントパネルの配置調節用の調節装置であって、
前記調節部（３０）が、前記作動部（４０）を２つの反対方向に案内して調節できるように、対向支承部（１０．１６、１０．１７）と協働する２つの調節可能な支持部（３８、３９）を備え、前記支持部（３８、３９）がそれぞれ偏心軌跡上で調節可能であり、前記偏心軌跡が反対方向に配されていることを特徴とする、調節装置。
【請求項２】
前記支持部（３８、３９）が前記対向支承部（１０．１６、１０．１７）に対し、少なくともその移動の一部領域で、遊びなく、またはほぼ遊びなく案内されることを特徴とする、請求項１に記載の調節装置。
【請求項３】
前記作動部（４０）が前記ホルダ（１０）に対して、一方の支持部（３８）が作動部（４０）を重力方向に調節し、他方の支持部（３９）が前記ホルダ（１０）を前記重力方向と反対方向に調節するように、垂直方向に調節可能であることを特徴とする、請求項１または２に記載の調節装置。
【請求項４】
前記調節部（３０）が、前記ホルダ（１０）または前記作動部（４０）上に回転可能に保持されていることを特徴とする、請求項１〜３のいずれか一項に記載の調節装置。
【請求項５】
前記調節部（３０）が、前記調節部（３０）の回転軸方向に横からアクセス可能なツール収容手段（３１）を備えることを特徴とする、請求項１〜４のいずれか一項に記載の調節装置。
【請求項６】
前記調節部（３０）が、好ましくは同一間隔で互いに離間された２つまたは複数の係合位置間で調節可能であることを特徴とする、請求項１〜３のいずれか一項に記載の調節装置。
【請求項７】
前記作動部（４０）が、前記ホルダ（１０）のガイド部（１０．５?１０．８）と協働する一体成形されたガイド片（４３、４４、４５）を備えて、摺動案内部を形成することを特徴とする、請求項１〜６のいずれか一項に記載の調節装置。
【請求項８】
前記調節部（３０）が支承部（２０）により回転可能に、かつ回転軸方向に固定されて保持されていることを特徴とする、請求項１〜７のいずれか一項に記載の調節装置。
【請求項９】
前記支承部（２０）が、前記調節部（３０）の支承部収容手段（３７）と協働する、成形された支承取付部（２５）を備えて、回転支承部を形成することを特徴とする、請求項８に記載の調節装置。
【請求項１０】
前記ホルダ（１０）、前記作動部（４０）、および前記支承部（２０）が一体に係合していることを特徴とする、請求項８または９に記載の調節装置。
【請求項１１】
前記対向支承部（１０．１６、１０．１７）が、前記ホルダ（１０）または前記作動部（４０）上に一体的に成形されていることを特徴とする、請求項１〜１０のいずれか一項に記載の調節装置。
【請求項１２】
前記ホルダ（１０）が、引き出しの後壁に結合するための後向き屈曲部（１０．３）を備えることを特徴とする、請求項１〜１１のいずれか一項に記載の調節装置。
【発明の詳細な説明】
【技術分野】
【０００１】
本発明は、引き出しのフロントパネルの配置調節用の調節装置に関し、前記調節装置は、ホルダと、このホルダに対して調節部により調節可能な作動部とを有する。
【０００２】
現代の引き出しは、家具の骨組みに対してフロントパネルが正確に位置合わせされることが求められる。フロントパネルはこの場合、フロントパネルにより規定される垂直面方向のみに調節可能であればよいわけではなく、フロントパネルの傾きも正確に位置合わせされることが求められる。この目的のため、従来は、枢軸を形成するために引き出しを前部領域で固定した状態で、垂直方向の位置合わせを引き出しの後壁領域で行われていた。したがって引き出しは、フロントパネルの角度位置も調節することができるように、前記枢軸回りに傾けることができる。
【０００３】
このような調節装置は簡単な構成で信頼性高く作動可能である必要がある。特に、引き出し操作中にフロントパネルの角度が望ましくない位置に調節されることを防止する必要がある。たとえば操作中に、下段の引き出し内の物体が出っ張って上段の引き出しを押圧している場合に、調節装置が不用意に調節されることが決して無いようにする必要がある。
【発明の概要】
【発明が解決しようとする課題】
【０００４】
したがって本発明は、簡単な構成でフロントパネルを信頼性高く調節することができる、冒頭で述べた種類の調節装置を提供することを課題とする。
【課題を解決するための手段】
【０００５】
前記課題は、調節装置の調節部が、それぞれ偏心軌跡上で調節可能であって該偏心軌跡が反対方向に配されることにより作動部を２つの反対方向に案内して調節することができる、対向支承部と協働する２つの調節可能な支持部を備えることにより、解決される。２つの支持部により、引き出しを、重力方向と重力方向の反対方向の両方に、積極的に駆動して調節することができる。しかるべき構成では、対向支承部を調節部により連続的に調節することができる。
【０００６】
両方の支持部が対向支承部に対して、少なくともその移動の一部領域で遊びなく、またはほぼ遊びなく案内されると、かかる一部領域では、調節中の引き出しが不用意に高さ方向にずれることが確実に防がれるため、フロントパネルの位置が信頼性高く維持される。
【０００７】
本発明の好ましい変形例によれば、一方の支持部が作動部を重力方向に調節し、他方の支持部がホルダを重力方向と反対方向に調節するように、作動部をホルダに対して垂直方向に調節することができる。これにより、作動部をホルダに対して両側で垂直方向に支持することができ、フロントパネルの配置が信頼性高く維持される。
【０００８】
調節部がホルダまたは作動部上に回転可能に保持されることで、調節装置の簡単操作が可能になる。これにより、さらに、部品および組立コストを削減することができる。
【０００９】
調節部が、調節部の回転軸方向に横からアクセス可能なツール収容手段を備えると、操作はさらに簡単なものとなる。好ましくは、ツール収容手段は引き出し内側からアクセス可能である。調節部が、好ましくは同一間隔で互いに離間された２つまたは複数の係合位置間で調節可能であるようにすると、簡単な引き出し調節が可能となる。特に、調節部の調節時に、ユーザは引き出しの一方側で係合位置を数えることができる。次いで、引き出しが両側で同一に位置合わせされるように、引き出しの他方側で同数の係合位置分調節することができる。さらに、係合位置がしかるべく構成されていれば、ホルダと作動部間の不用意な回転が防がれる。これに加えて、またはこれに代えて、支持部が対向支承部と自動で係合するように協働させることができる。このようにしても、調節位置が不用意に調節されることが防がれる。
【００１０】
好ましくは作動部が、ホルダのガイド部と協働して摺動案内手段を形成する一体成形されたガイド片を備えると、組立および部品コストをさらに削減することができる。
【００１１】
本発明の変形例として、作動部が支承部により回転可能に、かつ回転軸方向に固定されて保持されるようにすることも可能である。この場合、特に、支承部が、調節部の支承部収容手段と協働する、成形された支承取付部を備えて、回転支承部を形成するようにすることができる。
【００１２】
このような構成の場合、ホルダ、作動部、支承部が接続され、好ましくは係合して１つの構造部を形成することにより、組立がさらに簡単なものになる。
【００１３】
対向支承部がホルダまたは作動部上に一体的に成形されていると、簡単な構造が得られる。本発明にかかる調節装置の場合、さらに、ホルダが、引き出しの後壁と結合するための後向き屈曲部を備えることができる。
【００１４】
以下、図面に示す例示の実施形態により本発明をさらに詳しく説明する。
【図面の簡単な説明】
【００１５】
【図１】引き出しの部分斜視図を示す。
【図２】引き出しの後壁を取り除いた図１に係る引き出しを、斜視図および拡大図で詳細に示す。
【図３】引き出しの一部切開後面図を示す。
【図４】調節装置の前面斜視図を示す。
【図５】ホルダを分解した図４の調節装置を示す。
【図６】図７の切断線ＶＩ−ＶＩに沿う断面の詳細を示す。
【図７】調節装置の内部を示す。
【図８】調節装置の外観斜視図を示す。
【図９】図８に係る調節装置の組立変形例を示す。
【発明を実施するための形態】
【００１６】
図１は、底部５１、奥行き方向に延びる２つのフレーム５１、および後壁５３を備える引き出し５０を示す。明瞭性のため、引き出し５０の前壁は取り除かれている。フレーム５１は中空の壁フレームとして実現され、後部領域にそれぞれ１つの調節部３０を収容している。図２では、より明瞭に調節装置を示すため、フレーム５１の内部壁を一部取り除いており、調節装置が見えるようになっている。この図から分かる通り、調節装置は、ホルダ１０と、支承部２０と、調節部３０と、作動部４０とを備える。
【００１７】
図３は、引き出し５０の後壁領域の外側の一角を示す。この場合、調節装置の外側が見えるように、フレーム５１の外面を切り開いて示している。この図から分かる通り、フレーム５１は、伸展レール５２上に従来通りに装着されている。伸展レール５２は、骨組みレール５５を有し、これにより家具骨組み内に固定されている。さらに、伸展レール５２はセンターレールおよび引き出しレール５６を備える。引き出しレール５６は、骨組みレール５５に対して、引き出し奥行き方向に調節可能である。
【００１８】
引き出し５０は、従来通り、まず、底部５４の両側に２つのフレーム５１が固定されて組み立てられる。調節装置はフレーム５１の空洞内に収容されてそこで固定される。フレーム５１を底部５４に取り付けた後、後壁５３を作動部４０にネジ止めすることができる。このようにして組み立てられた引き出し５０は、これに適合する家具骨組みの一領域内に挿入することができる。２つの伸展レール５２はすでに前記領域内に装着されている。引き出し５０は、引き出しレール５６の底側上に載せて、その上を奥行き方向にスライドさせることができる。図３から分かるように、係止フック５７が引き出しレール５６に固定されている。ここでは、係止フック５７は別個の部品として実現され、たとえば溶接により引き出しレール５６に接続される。これに代えて、係止フック５７は、引き出しレール５６から打ち抜いて、前記引き出しレールから傾けさせることもできる。係止フック５７は取付部５８を有し、これにより引き出しレール５６のカバー側に接続されている。係止フック５７のフック頭部５９は板状に形成され、水平面に対して所定の角度、好ましくは３０〜６０°の範囲内で傾斜している。係止フック５７はそのフック頭部５９領域に、互いに向けて傾斜した２つの抜き勾配５９．１が設けられ、これら抜き勾配５９．１は互いに対して矢形に設定されている。抜き勾配５９．１は、ホルダ１０の凹部１０．２に係合する、フック頭部５９の突出部の一部である。凹部１０．２は、対向辺に歯状凹凸１０．２１を備える。歯状凹凸１０．２１は、好ましくは同一間隔で互いに離間された歯部からなる。抜き勾配５９．１はそれぞれ、歯状凹凸１０．２１と噛み合う。上側抜き勾配５９．１は上側歯状凹凸１０．２１に、下側抜き勾配５９．１は下側歯状凹凸１０．２１に、相応に支持される。したがって、引き出し５０を奥行き方向にスライドさせると、係止フック５７と係合し、それにより引き出し５０の奥行き限界が規定される。この場合、抜き勾配５９．１が矢形に設定されているため、抜き勾配５９．１は容易に歯状凹凸１０．２１と係合する。このようにして、後壁領域にて、垂直方向および水平方向のいずれにも遊びなく引き出し５０の締め付けが行われる。凹部１０．２の水平方向の横寸法は、フック頭部５９の同方向の寸法より大きい。このように、規定範囲内で引き出し５０を横方向に調節することができる。前記手段により、水平方向の公差を補正することができる。この場合、前記公差補正によって、骨組み幅の公差、または、底部５４幅の、公差による変動に対処しこれを補正することができる。
【００１９】
上述のように配された係止フック５４および凹部１０．２は、引き出し５０の後壁５３の両側に設けられるのが好ましい。
【００２０】
調節装置の構成および操作方法を以下にさらに詳しく説明する。調節装置は、ホルダ１０と作動部４０、および、作動部４０とホルダ１０の間に設置される調節部３０を備える。これらの部品を固定するのに、支承部２０が用いられている。
【００２１】
図３から分かるように、ホルダ１０は凹部１０．２が設けられた支持部１０．１を有する。凹部１０．２の歯状凹凸１０．２１は図５から明瞭である。支持部１０．１は、折曲端縁１０．４に接続された屈曲部１０．３の一部である。案内部１０．５〜１０．８が折曲端縁１０．４に連接している。この場合、隣接する案内部１０．５〜１０．８はそれぞれ互いに直角であると好ましい。案内部１０．８は壁部１０．９に連なる。別の折曲端縁１０．１２に移行部１０．１１を介して連なる折曲端縁１０．１０が、壁部１０．９から傾斜している。ホルダ１０の自由端は、端部１０．１３で終わっている。ホルダ１０には、たとえば貫通孔の形で実現される凹部１０．１５が設けられている。対向支承部１０．１６、１０．１７を支承するホルダ１０．１４の取付部分は凹部１０．１５領域内に突出している。この目的のために、本例示的実施形態では、移行部１０．１１から折り曲げて突出部分を形成し、対向支承部１０．１６、１０．１７としている。図５から分かるように、対向支承部１０．１６、１０．１７は反対方向に傾斜している。
【００２２】
また、図５から分かるように、ガイド部１０．７の領域に、窓１０．１４の形で凹部が設けられている。ホルダ１０は、板材から打ち抜き、折り曲げ加工された部品として製造すると好ましい。
【００２３】
図４は、ホルダ１０に接続可能な作動部４０を示す。作動部４０は支承壁４２を有し、ここから取付部４１が後側に向けて曲げられている。支承壁４２は、取付部４１の反対側にガイド片４３、４４、４５を備える。ここではＵ字状に接続された３つのガイド片４３、４４、４５を使用している。ガイド片４３、４４、４５の数および配置は、ホルダ１０のガイド部１０．５〜１０．８に適合するよう構成される。このように、ガイド片４３、４４、４５およびガイド部１０．５〜１０．８は協働して、直線的な摺動案内部を形成する。端部４６はガイド片４３、４４、４５に連設している。前記端部４６は折曲端縁を介して、固定片４７に連なる。固定片４７には固定具収容手段４７．１が設けられている。図４から分かるように、作動部４０はホルダ１０上に取り付けることができる。この場合、ガイド片４３〜４５は、ガイド部１０．５〜１０．８から形成されるガイド部収容手段に係合する。前壁４２は、壁部１０．９およびホルダ１０の壁部分１０．１３に摺動可能に当接する。図３から分かるように、固定片４７および屈曲部１０．３が、さらに、互いに当接している。前記の図と、特に図８から分かるように、作動部４０はガイドフック４８を備える。前記ガイドフックは、たとえば作動部４０から打ち抜き、後向きに屈曲させることができる。ガイドフック４８は、ガイド部収容手段を囲んでいる。壁部分１０．１３の垂直端縁は、ガイドフック４８の前記ガイド部収容手段内にスライドされる。図９に示すように、ホルダ１０の折曲端縁１０．４も、ガイドフック４８が係合される露出した端縁部を備えている。このようにして、ガイドフック４８およびホルダ１０のこれに対応する端縁部により、長手方向案内部が形成される。さらに、ガイドフック４８はホルダ１０および作動部４０を結合している。
【００２４】
図９は、回転体として実現可能な調節部３０を示す。調節部３０は、少なくともホルダ１０と作動部４０間の領域に配されている。調節部３０のより詳細な構成は図６から分かる。前記の図に示すように、調節部３０はツール収容手段３１を有する。前記ツール収容手段３１は支承片３２内に挿入することができる。ツール収容手段３２は、引き出し５０内部から届くように配置、位置合わせされている（図１参照）。支承片３２は円筒形状で実現されている。第１偏心部３３として実現されるガイドが支承片３２に連接している。作動部３０はさらに第２偏心部３５を備える。２つの偏心部３３、３５は、接続部３４により一体的に接続されている。図９に示すように、各偏心部３３、３５は、支持部３８、３９を備える円弧状軌跡を形成する。この場合、偏心部３３、３５は反対方向に向けられ、その円弧状軌跡ガイドが同一となるように構成されている。図９で、見る者に対向する外側の偏心部は、調節部３０の回転軸に関して反時計回りに支持部３９からの距離が増大するのに対し、第２偏心部３３は固定部からの距離が時計回りに増大する。この目的のために、例示的実施形態では、偏心部３３、３５のガイド軌跡が、調節部３０の回転軸を通る垂直面と水平面の両方について１８０°回転させたものになっている。調節部３０の支持部３８、３９は、対向支承部１０．１６、１０．１７と協働する。したがって対向支承部１０．１６、１０．１７はそれぞれ支持部３８、３９に当接している。この場合、支持部３８、３９は対向支承部１０．１６、１０．１７に対して遊びなく当接するように配されている。ここで「遊びなく」とは、前記部品間で０〜０．２ｍｍ範囲の公差間隙が存在し得ることを意味する。偏心度合いは、調節部３０の回転位置に関わりなく、対向支承部１０．１６、１０．１７の当接領域では支持部３８、３９間の距離が常に同一となるように、その形状や配置が選択される。たとえば図９で、調節部３０を時計回りに回転させると、偏心部３５は対向支承部１０．１７を連続的に上昇させ、これにより、ホルダ１０が固定された状態で、調節部４０は下方にスライドする。調節部３０をこのように回転させると、対向支承部１０．１６も同時に、ホルダ１０と作動部４０間で垂直方向に遊びがまったく無くなるように、偏心部３３に当接する。
【００２５】
図９から分かるように、調節部３０には、支承片３２から遠い側に支承部収容手段３７が設けられている。前記支承部収容手段３７は中空の円筒として実現されている。図６から分かるように、支承部２０の支承取付部２５が前記支承部収容手段３７に係合して、回転支承構造を形成している。図８に示すように、支承部２０にはカバー部２４が設けられ、支承取付部２５はこれに一体成形により一体的に設けられている。側壁２２がカバー部２４に続いている。前記側壁２２はホルダ１０の外面に支持されている。さらに、支承部２０は係合フック２１を備える。支承部２０の前側領域には、収容手段２３が設けられている。前記収容手段は、本例示的実勢形態では、スロット形状の収容手段２３として実現されている。支承部は、前記収容手段２３により、取付部４１上にスライドさせることができる。前記スライド動作時に、支承取付部２５も調節部３０の支承部収容手段３７内に挿入される。この結合動作をさらに続けると、係合フック２１が折曲端縁１０．４（図９参照）の窓１０．１４を通過して、これに対向して位置している作動部４０のガイド片４４の係合端縁４４．１（図９参照）に係合する。ホルダ１０、調節部３０、および作動部４０は、支承部２０によって確実に結合される。
【００２６】
上述の調節装置は、すでに上で述べたように、中空のフレーム５１の空洞内に収容される。この中で適切な方法でホルダ１０に結合される。ホルダ１０はたとえば、フレーム５１に溶接することができる。作動部４０は引き出し５０の後壁５３に固定片４７により接続される。この目的のため、たとえば、締結ネジを締結具収容手段４７．１に挿通させて、後壁５３に締結することができる。この結果、作動部４０は引き出し５０に固着される。ホルダ１０は、上ですでに述べたように、フレーム５１および支持部１０．１を介して伸展レール５２に固着されている。伸展レール５２は家具の骨組みの一部であるので、ホルダ１０はこの結果、家具骨組みに固着される。次いで、適切なツール、たとえばスクリュードライバをツール収容手段３１に挿入し、調節部３０を引き出しの内側から回転させると、作動部４０が、上述の偏心機構を介して、ホルダ１０に対し垂直方向に調節される。回転方向にかかわらず、作動部４０は上方にも下方にも変位させることができる。前記変位により、後壁領域における引き出し５０の垂直方向の配置も変更される。これで引き出し５０は、引き出しレール５６の前壁領域に固着される。この結果、最終的に、後壁領域で垂直方向に調節することによる引き出し５０の枢動が可能となる。かかる枢動により、引き出し５０のフロントパネルの角度配置を、垂直方向に対して変更することができる。調節装置は好ましくは引き出し５０の両側のフレーム５１に設けられる。この場合、調節装置は鏡面対称に構成される。２つの調節装置の調節部３０を同じだけ回転させると、引き出し５０の両側でフロントパネルは均一に傾斜する。ユーザが簡単に均一な調節を行えるように、図９から分かるように、調節部３０には回止め機構３６が設けられている。前記回止め機構３６は同一間隔で互いに離間して、調節部３０の回転軸回りのピッチ円上に配されている。回止め機構３６は支承部２０の対向係合要素と協働する。回止め機構３６はたとえば、図９に示すように、回止め機構収容手段として実現することができる。支承部２０のカバー部分２４の下側に、弾性を有する対向係合要素を、たとえば支承部２０と一体的に成形して設けることができる。弾性係合舌部の使用が考えられる。調節部３０を回転させると、対向係合要素が、これに対応する回止め機構収容手段３６に係合する。このようにして調節部３０を連続的に調節することが可能になる。係合接続の実現次第で、ユーザがさらに音の信号を受け取って係合段階の数を数えることができるように、かかる係合調節はユーザにとって可聴式にもなる。
【００２７】
図９から分かるように、調節部３０の故障や回し過ぎを避けるために、各偏心部材３３、３５の端部にストッパ３３．１、３５．１が設けられている。かかるストッパ３３．１、３５．１は、対向支承部１０．１６、１０．１７と協働して、回転運動の限界を規定する。
【図１】
2017528270.tif 000003
【図２】
2017528270.tif 000004
【図３】
2017528270.tif 000005
【図４】
2017528270.tif 000006
【図５】
2017528270.tif 000007
【図６】
2017528270.tif 000008
【図７】
2017528270.tif 000009
【図８】
2017528270.tif 000010
【図９】
2017528270.tif 000011
【国際調査報告】
2017528270.tif 000012
2017528270.tif 000013
2017528270.tif 000014
2017528270.tif 000015